(57)【要約】【課題】家庭用浄水器をメーターの二次側の大地に埋設した場合でも、ベース部が直接湿気に触れることを防げて腐食を防止したり浄水器の凍結が防止でき、更にベースの絶縁も図ることができる浄水器の絶縁保温カバーを提供する。【解決手段】浄水器１の金属製ベース２に下側から被られ、この金属製ベース２を絶縁するベース絶縁用カバー１３と、金属製ベース２の上部のケーシング５の外周に被せられ、このケーシング５を保温する円筒形のケーシング保温用カバー１４と、ケーシング５の上部のヘッドキャップ１５に上側から被せられ、ヘッドキャップ１５を保温するヘッドキャップ保温用カバー１６とから構成されている。【選択図】      図１
2004330157.tif 000002
【特許請求の範囲】
【請求項１】
浄水器の金属製ベースに下側から被られ、この金属製ベースを絶縁するベース絶縁用カバーと、金属製ベースの上部のケーシングの外周に被せられ、このケーシングを保温する円筒形のケーシング保温用カバーと、ケーシングの上部のヘッドキャップに上側から被せられ、ヘッドキャップを保温するヘッドキャップ保温用カバーとから構成されることを特徴とする浄水器の絶縁保温カバー。
【請求項２】
前記ベース絶縁用カバーには、ベース本体部が入り込む凹所が形成されているとともに、ベースの水道水入口管部を外部に露出するための入口用開口部とベースの浄化水出口管部を外部に露出するための出口用開口部が形成されている請求項１に記載の浄水器の絶縁保温カバー。
【請求項３】
前記ベース絶縁用カバーに、その内部にベース本体部が入り込む凹部が形成されると共に、その左右両側の入口用開口部及び出口用開口部に連なる縦向き凹溝が形成され、また、前記ケーシング用保温カバーに、前記ベース絶縁用カバーにおける縦向き凹溝に対応する左右両側に、これらの縦向き凹溝に入り込み下端に上向き円弧状凹部が形成された下向き突出片が突設されている請求項２に記載の浄水器の絶縁保温カバー。
【請求項４】
前記ケーシング保温用カバーは二つ割りに形成され、一方側の割りカバーの周縁部の上部の内面に、他方側の割りカバーの周縁部の外周面部分が強制的に嵌め入れられる縦向き凹所が形成されると共に、他方側の割りカバーの周縁部の下部の内面に、一方側の割りカバーの周縁部の外周面部分が強制的に嵌め入れられる縦向き凹所が形成されている請求項１乃至３に記載の浄水器の絶縁保温カバー。
【請求項５】
前記ヘッドキャップ保温用カバーの下端の内面に凹段部が全周に渡って形成されると共に、前記ケーシング保温用カバーの上端に前記ヘッドキャップ保温カバーの下端の凹段部に嵌め込まれる段付き凸部が全周に渡って形成されている請求項１乃至４のいずれかに記載の浄水器の絶縁保温カバー。
【請求項６】
前記ベース絶縁用カバーと前記ケーシング保温用カバーと前記ヘッドキャップ保温用カバーは、絶縁性と保温性を兼ね備えた発泡樹脂で形成されている請求項１乃至５のいずれかに記載の浄水器の絶縁保温カバー。
【発明の詳細な説明】
【０００１】
【発明の属する技術分野】
本発明は、浄水器の全体を包み込み、この浄水器が湿気に触れて腐食することを防ぐようにした浄水器の絶縁保温カバーに関する。
【０００２】
【従来の技術】
従来、家庭用浄水器をメーターの二次側の大地に埋設したりすると、この浄水器のベースがＳＵＳや黄銅等の金属製の場合には湿気や、地電流等で腐食されてしまうという問題があった。
また、土の中で浄水器の凍結が起こる場合もあるという問題があった。
更に、金属製のベースをそのまま大地に埋設すると、その絶縁ができないという問題があった。
【０００３】
【発明が解決しようとする課題】
本発明は、家庭用浄水器をメーターの二次側の大地に埋設する場合でも、ベース部が直接湿気に触れることを防げて腐食を防止したり、浄水器の凍結を防止することができ、更に、ベースの絶縁も図ることができる浄水器の絶縁保温カバーを提供する事を目的としている。
【０００４】
【課題を解決するための手段】
上記目的を達成するため、請求項１に記載の発明は、浄水器の金属製ベースに下側から被られ、この金属製ベースを絶縁するベース絶縁用カバーと、金属製ベースの上部のケーシングの外周に被せられ、このケーシングを保温する円筒形のケーシング保温用カバーと、ケーシングの上部のヘッドキャップに上側から被せられ、ヘッドキャップを保温するヘッドキャップ保温用カバーとから構成されることを発明の基本構成とするものである。
【０００５】
請求項２の発明は、請求項１の発明に於いて、前記ベース絶縁用カバーにベース本体部が入り込む凹所が形成されているとともに、ベースの水道水入口管部を外部に露出するための入口用開口部とベースの浄化水出口管部を外部に露出するための出口用開口部が形成されているものである。
【０００６】
請求項３の発明は、請求項２の発明に於いて、前記ベース絶縁用カバーに、その内部にベース本体部が入り込む凹部が形成されると共に、その左右両側の入口用開口部及び出口用開口部に連なる縦向き凹溝が形成され、また、前記ケーシング用保温カバーに、前記ベース絶縁用カバーの縦向き凹溝に対応する左右両側に、これらの縦向き凹溝に入り込み下端に上向き円弧状凹部が形成された下向き突出片が突設されているものである。
【０００７】
請求項４の発明は、請求項１乃至請求項３の発明に於いて、前記ケーシング保温用カバーは二つ割りに形成されると共に、一方側の割りカバーの周縁部の上部の内面に、他方側の割りカバーの周縁部の外周面部分が強制的に嵌め入れられる縦向き凹所が形成され、他方側の割りカバーの周縁部の下部の内面に、一方側の割りカバーの周縁部の外周面部分が強制的に嵌め入れられる縦向き凹所が形成されているものである。
【０００８】
請求項５の発明は、請求項１乃至４の発明に於いて、前記ヘッドキャップ保温用カバーの下端の内面に凹段部が全周に渡って形成されると共に、前記ケーシング保温用カバーの上端に前記ヘッドキャップ保温カバーの下端の凹段部に嵌め込まれる段付き凸部が全周に渡って形成されているものである。
【０００９】
請求項６の発明は、請求項１乃至５の発明に於いて、前記ベース絶縁用カバーと前記ケーシング保温用カバーと前記ヘッドキャップ保温用カバーは、絶縁性と保温性を兼ね備えた発泡樹脂で形成されているものである。
【００１０】
【発明の実施の形態】
以下、本発明に係る浄水器の絶縁保温カバーの実施の形態について、図を参照しつつ説明する。
図１は本発明の浄水器の絶縁保温カバーで、浄水器のほぼ全体を覆った状態の断面図、図２は同絶縁保温カバーの断面図、図３は同絶縁保温カバーの分解した状態の正面断面図、図４は同絶縁保温カバーの分解した状態の側面断面図、図５は同絶縁保温カバーの側面図である。
【００１１】
本実施形態の浄水器の絶縁保温カバーは、図１に示すように、浄水器１の全体を覆うものである。
先ず、この絶縁保温カバーＺで覆われる浄水器１に於いて、その内部で水道水が浄化されていく過程を図１を参照しつつ概略説明する。図１に於いて、１は浄水器、２はベース、３は水道水入口管部、４は環状溝、５は筒状ケーシング、６は繊維状活性炭フィルター、７は間隙、８はセラミックフィルター、９は間隙、１０は浄化水出口管部である。
水道本管（図示略）から浄水器１のベース２の水道水入り口管部３を経て浄水器１に流入した水は、ベース２の上面に設けられた環状溝４を経て、ＳＵＳ３０５製板金からなる筒状ケーシング５と繊維状活性炭フィルター６との間の環状の間隙７へ流入する。間隙７内の水は、間隙７内を上昇するとともに徐々に内側へも流入して繊維活性炭フィルター６を通過し、繊維活性炭フィルター６とセラミックフィルター８との間の環状の間隙９へ流入して上昇する。
【００１２】
繊維活性炭フィルター６を通過して環状の間隙９を上昇した水は、上方からセラミックフィルター８内を下降して、ベース２に流入し、このベース２の浄化水出口管部１０を経て水道管（図示略）に流れ込む。
【００１３】
次に、この水道水を浄化する浄水器１を覆う本実施形態の絶縁保温カバーＺについて、詳細に説明する。
この絶縁保温カバーＺは、浄水器１の金属製ベース２に下側から被せられ、この金属製のベース２を絶縁するベース絶縁用カバー１３と、金属製のベース２の上部のケーシング５の外周に被せられ、このケーシング５を保温する円筒形のケーシング保温用カバー１４と、ケーシング５の上部のヘッドキャップ１５に上側から被せられ、ヘッドキャップ１５を保温するヘッドキャップ保温用カバー１６とから構成されている。これらのベース絶縁用カバー１３とケーシング保温カバー１４とヘッドキャップ保温用カバー１６は、絶縁性と保温性を兼ね備えた発泡樹脂で形成されている。
【００１４】
上記したベース絶縁用カバー１３には、図１、図２、図３に示すように、ベース本体２ａが入り込む凹所１７が形成されているとともに、ベース２の水道水入口管部３を外部に露出するための入口用開口部１８と、ベース２の浄化水出口管部１０を外部に露出するための出口用開口部１９が形成されており、更に、図４に示すように、これらの左右両側の入口用開口部１８及び出口用開口部１９に連なり、上方に向けで開放された縦向き凹溝２０が形成されている。
【００１５】
上記したケーシング用保温カバー１４は、二つ割りに形成されている。また、その上側と下側に大径部２１、２２が形成され、ベース絶縁用カバー１３における縦向き凹溝２０に対応する左右両側に、これらの縦向き凹溝２０（図４参照）に入り込み、下端に上向き円弧状凹部２３が形成された下向き突出片２４（図４参照）が突設されている。更に、一方側の割りカバー１４Ａの周縁部の内面に、他方側の割りカバー１４Ｂの周縁部の外周面部分が強制的は嵌め入れられる縦向き凹所２５が形成され、他方側の割りカバー１４Ｂの周縁部の下部の内面に、一方側の割りカバー１４Ａの周縁部の外周面部分が強制的に嵌め入れられる縦向き凹所２６が夫々形成されている。
【００１６】
上記したヘッドキャップ保温用カバー１６には、図３、図４に示すように、その下端の内面に凹段部２７が全周に渡って形成されている。また、ケーシング保温用カバー１４の上端には、ヘッドキャップ保温カバー１６の下端の凹段部２７に嵌め込まれる段付き凸部２８が全周に渡って形成されている。
【００１７】
そして、上記のように構成された各カバー１３、１４、１６で浄水器１を覆うには、先ずベース絶縁用カバー１３を浄水器１のベース２の周囲を覆うように被せ、次に二つ割りのケーシング保温用カバー１４を浄水器１のケーシング５に左右両側から被せ、その後にヘッドキャップ保温用カバー１６を浄水器１のヘッドキャップ１５に被せて、浄水器１の全体を各カバー１３、１４、１６で覆うようにする。
【００１８】
ベース絶縁用カバー１３を浄水器１のベース２に被せた状態で、ケーシング保温用カバー１４を被せる際に、ケーシング保温用カバー５の下端の大径部２２をベース絶縁用カバー１３の上部に被せて浄水器１のケーシング５を覆い、このケーシング保温用カバー１４の上端の段付き凸部２８に、ヘッドキャップ保温用カバー１６の下端の凹段部２７を嵌めて、各カバー１３、１４、１６で浄水器１の全体が覆われることとなる。
また、ベース絶縁用カバー１３の入り口用開口部１８には、浄水器１の水道水入口管部３が入り込んで外部に露出され、出口用開口部１９には浄水器１の浄化水出口管部１０が入り込んで外部に露出された状態となる。
【００１９】
したがって、本実施形態の浄水器の絶縁保温カバーによれば、各カバー１３、１４、１６で浄水器１の全体を覆うことができるので、浄水器１をメーターの二次側の大地に埋設したりする場合でも、ベース２が直接湿気に触れることを防げてその腐食を防止でき、しかも、浄水器１の凍結も防止できる。
また、各カバー１３、１４、１６で浄水器１を覆う作業も簡単に行なうことができる。
【００２０】
【発明の効果】
以上説明したように、請求項１に記載の発明は、浄水器の金属製ベースに下側から被られ、この金属製ベースを絶縁するベース絶縁用カバーと、金属製ベースの上部のケーシングの外周に被せられ、このケーシングを保温する円筒形のケーシング保温用カバーと、ケーシングの上部のヘッドキャップに上側から被せられ、ヘッドキャップを保温するヘッドキャップ保温用カバーとから構成されるので、以下に述べる効果を奏する。
【００２１】
即ち、ベース絶縁用カバーとケーシング保温用カバーとヘッドキャップ保温用カバーで浄水器の全体を覆うことができるので、浄水器をメーターの二次側の大地に埋設する場合でも、ベースが直接湿気に触れるのを防げて腐食を防止でき、しかも、浄水器の凍結も防止できる。
また、ベース絶縁用カバーで金属製ベースの絶縁をすることができる。
【００２２】
請求項２に記載の発明ではベース絶縁用カバーに、ベース本体部が入り込む凹所が形成されているとともに、ベースの水道水入口管部を外部に露出するための入口用開口部とベースの浄化水出口管部を外部に露出するための出口用開口部が形成されているので、浄水器をカバーで覆った状態でも、外部に露出された水道水入口管部に水道本管を容易に接続することができると共に、外部に露出された浄化水出口管部に水道管を容易に接続することができる。
【００２３】
請求項３に記載の発明ではベース絶縁用カバーに、その内部にベース本体部が入り込む凹部が形成されると共に、その左右両側の入口用開口部及び出口用開口部に連なる縦向き凹溝が形成され、また、ケーシング用保温カバーに、ベース絶縁用カバーの縦向き凹溝に対応する左右両側に、これらの縦向き凹溝に入り込み下端に上向き円弧状凹部が形成された下向き突出片が突設されている。そのため、ベース絶縁用カバーの凹部に浄水器のベースを収容でき、また、縦向き凹溝に上側から水道水入口管部と浄化水出口管部を支障なく嵌め入れることができ、更に、このベース絶縁用カバーに収容されたベースの水道管入口管部と浄化水出口管部をケーシング用保温カバーの下向き突出片の円弧状凹部で上側から押さえることができて、この部分が上側に抜けることを防ぐことができる。
【００２４】
請求項４に記載の発明では、ケーシング保温用カバーが二つ割りに形成され、一方側の割りカバーの周縁部の上部の内面に、他方側の割りカバーの周縁部の外周面部分が強制的に嵌め入れられる縦向き凹所が形成されると共に、他方側の割りカバーの周縁部の下部の内面に、一方側の割りカバーの周縁部の外周面部分が強制的に嵌め入れられる縦向き凹所が形成されている。そのため、二つ割りのケーシング保温用カバーで浄水器のケーシングを両側から挟んで簡単に覆うことができ、しかも一方側のケーシング保温用カバーの上部の内面の縦向き凹所に他方側の上部を嵌め入れるとともに、他方側のケーシング保温用カバーの下部の内面の縦向き凹所に一方側のケーシング保温用カバーの下部を嵌め入れることができて、両ケーシング保温用カバーを外れることなく堅固に取付け固定することができる。
【００２５】
請求項５に記載の発明では、ヘッドキャップ保温用カバーの下端の内面に凹段部が全周に渡って形成されると共に、ケーシング保温用カバーの上端にヘッドキャップ保温カバーの下端の凹段部に嵌め込まれる段付き凸部が全周に渡って形成されている。そのため、ヘッドキャップ保温用カバーでヘッドキャップを覆うときに、その凹段部にケーシング保温用カバーの上端の段付き凸部を嵌め入れることで、簡単にヘッドキャップ保温用カバーを取り付けてヘッドキャップを覆うことができる。
【００２６】
請求項６に記載の発明では、ベース絶縁用カバーとケーシング保温用カバーとヘッドキャップ保温用カバーが、絶縁性と保温性を兼ね備えた発泡樹脂で形成されている。そのため、浄水器を各カバーで覆った際に、浄水器の絶縁と保温とを確実に行なうことができ、また発泡樹脂製なので重量を軽くすることができる。
【図面の簡単な説明】
【図１】本発明の浄水器の絶縁保温カバーで浄水器のほぼ全体を覆った状態の断面図である。
【図２】同絶縁保温カバーの断面図である。
【図３】同絶縁保温カバーの分解した状態の正面断面図である。
【図４】同絶縁保温カバーの分解した状態の側面断面図である。
【図５】同絶縁保温カバーの側面図である。
【符号の説明】
Ｚ  絶縁保温カバー
１    浄水器
２    金属製ベース
２ａ  ベース本体
３    水道水入り口管部
４    環状溝
５    ケーシング
１０  浄化水出口管部
１３  ベース絶縁用カバー
１４  ケーシング保温用カバー
１５  ヘッドキャップ
１６  ヘッドキャップ保温用カバー
１７  凹所
１８  入り口用開口部
１９  出口用開口部
２０  縦向き凹溝
２１  大径部
２２  大径部
２３  上向き円弧状凹部
２４  下向き突出片
２５  縦向き凹所
２６  縦向き凹所
２７  凹段部
２８  段付き凸部
【図１】
2004330157.tif 000003
【図２】
2004330157.tif 000004
【図３】
2004330157.tif 000005
【図４】
2004330157.tif 000006
【図５】
2004330157.tif 000007